(57)【要約】【課題】準備作業を一度行えば、水素吸入を数回に分けて行うことが可能な水素吸入装置及びカプセルを提供すること。【解決手段】水素吸入装置は、蒸気を生成する蒸気生成部と、水素化金属を格納する格納部と、蒸気生成部で生成した蒸気を格納部に導入する導入部と、蒸気と前記水素化金属との化学反応により発生した水素を吸入するための吸口とを備え、吸口が吸引された場合に、蒸気が格納部に導入され水素が発生する。【選択図】図１
2018033729.tif 000002
【特許請求の範囲】
【請求項１】
蒸気を生成する蒸気生成部と、
水素化金属を格納する格納部と、
前記蒸気生成部で生成した蒸気を前記格納部に導入する導入部と、
前記蒸気と前記水素化金属との化学反応により発生した水素を吸入するための吸口と
を備え、
前記吸口が吸引された場合に、前記蒸気が前記格納部に導入され水素が発生すること
を特徴とする水素吸入装置。
【請求項２】
前記吸口が吸引された吸引回数を記憶する回数記憶部と、
記憶した吸引回数が閾値以上となった場合、その旨を表示する表示部と
を備えることを特徴とする請求項１に記載の水素吸入装置。
【請求項３】
前記吸口が吸引された累積時間を記憶する時間記憶部と、
記憶した累積時間が閾値以上となった場合、その旨を表示する表示部と
を備えることを特徴とする請求項１に記載の水素吸入装置。
【請求項４】
前記水素化金属は水素化マグネシウムを含む
ことを特徴とする請求項１から請求項３のいずれか一項に記載の水素吸入装置。
【請求項５】
蒸気を受け入れる受入部と、
水素化金属を格納する格納部と、
前記受入部から受け入れた前記蒸気を前記格納部に導入する導入部と、
前記蒸気と前記水素化金属との化学反応により発生した水素を吸入するための吸口とを備え、
前記吸口が吸引された場合に、前記蒸気が前記格納部に導入され水素が発生すること
を特徴とする水素吸入装置。
【請求項６】
筒状をなし、内部に水素化金属を格納する格納部と、
前記格納部の端部に設けられた吸口と、
前記吸口と対向する蒸気を取り込む開口部とを備え、
蒸気を生成する蒸気生成部と前記開口部にて接続する
ことを特徴とするカプセル。
【請求項７】
前記吸口が吸引されることにより前記開口部近傍の圧力が低下した場合、前記蒸気生成部により生成した蒸気を前記開口部から取り込む
ことを特徴とする請求項６に記載のカプセル。
【発明の詳細な説明】
【技術分野】
【０００１】
本発明は、水素吸入装置及びカプセルに関する。
【背景技術】
【０００２】
近年、体内に発生する活性酸素は疾患や老化の原因になると言われている。活性酸素を減少させるために、体内に水素を取り込む健康法が提案されている。体内に水素を取り込む方法の１つとして、水素を口から吸入する方法がある。特許文献１には水素発生容器内で発生させた水素を、カニューラを用いて吸入する水素吸入装置が記載されている。
【先行技術文献】
【特許文献】
【０００３】
【特許文献１】特開２０１４−６１２７５号公報
【発明の概要】
【発明が解決しようとする課題】
【０００４】
しかしながら、特許文献１に記載の水素吸入装置では、容器内に所定の水素発生剤を投入し、当該水素発生剤をすべて反応させることが前提である。投入した水素発生剤の一部を反応させるのは、困難である。また、吸入するたびに、水素発生剤を投入するという準備作業が必要となる。
【０００５】
本発明はかかる事情に鑑みてなされたものである。本発明の目的は、準備作業を一度行えば、水素吸入を数回に分けて行うことが可能な水素吸入装置及びカプセルを提供することである。
【課題を解決するための手段】
【０００６】
本発明に係る水素吸入装置は、蒸気を生成する蒸気生成部と、水素化金属を格納する格納部と、前記蒸気生成部で生成した蒸気を前記格納部に導入する導入部と、前記蒸気と前記水素化金属との化学反応により発生した水素を吸入するための吸口とを備え、前記吸口が吸引された場合に、前記蒸気が前記格納部に導入され水素が発生することを特徴とする。
【０００７】
本発明にあっては、吸口が吸引された場合に、蒸気が格納部に導入され、水素が発生する。そのため、格納部に格納された水素化金属の一部のみを化学反応させることが可能である。それによって、一度、水素化金属を格納すれば、すべての水素化金属が化学反応し終わるまでは、水素化金属を再度、格納する必要がない。したがって、準備作業（水素化金属を格納する作業）を一度行えば、水素吸入を数回に分けて行うことが可能となる。
【０００８】
本発明に係る水素吸入装置は、前記吸口が吸引された吸引回数を記憶する回数記憶部と、記憶した吸引回数が閾値以上となった場合、その旨を表示する表示部とを備えることを特徴とする。
【０００９】
本発明にあっては、吸口が吸引された回数が閾値以上となったことを表示する。そのため、格納部の金属を新たな水素化金属に入れ替える時期を、利用者は知ることが可能となる。
【００１０】
本発明に係る水素吸入装置は、前記吸口が吸引された累積時間を記憶する時間記憶部と、記憶した累積時間が閾値以上となった場合、その旨を表示する表示部とを備えることを特徴とする。
【００１１】
本発明にあっては、吸口が吸引された累積時間が閾値以上となったことを表示する。そのため、格納部の金属を新たな水素化金属に入れ替える時期を、利用者は知ることが可能となる。
【００１２】
本発明に係る水素吸入装置は、前記水素化金属は水素化マグネシウムを含むことを特徴とする。
【００１３】
本発明にあっては、水素化金属として水素化マグネシウムを含む。水素化マグネシウムは、水素化金属の中でも化学的に安定しているので、格納部に格納した水素化マグネシウムの一部が蒸気により化学反応した後に、放置しておくことが可能である。それよって、化学反応していない水素化金属を、時間を隔てて後に反応させることが可能となる。
【００１４】
本発明に係る水素吸入装置は、蒸気を受け入れる受入部と、水素化金属を格納する格納部と、前記受入部から受け入れた前記蒸気を前記格納部に導入する導入部と、前記蒸気と前記水素化金属との化学反応により発生した水素を吸入するための吸口とを備え、前記吸口が吸引された場合に、前記蒸気が前記格納部に導入され水素が発生することを特徴とする。
【００１５】
本発明にあっては、蒸気を受け入れる受入部を備えるので、蒸気生成部として様々なものが利用可能となる。
【００１６】
本発明に係るカプセルは、筒状をなし、内部に水素化金属を格納する格納部と、前記格納部の端部に設けられた吸口と、前記吸口と対向する蒸気を取り込む開口部とを備え、蒸気を生成する蒸気生成部と前記開口部にて接続することを特徴とする。
【００１７】
本発明にあっては、水素化金属が加水分解して発生した水素を吸引可能である。
【００１８】
本発明に係るカプセルは、前記吸口が吸引されることにより前記開口部近傍の圧力が低下した場合、前記蒸気生成部により生成した蒸気を前記開口部から取り込むことを特徴とする。
【００１９】
本発明にあっては、吸口が吸引された場合に、水素を発生させることが可能となる。
【発明の効果】
【００２０】
本発明にあっては、準備作業を一度行えば、水素吸入を数回に分けて行うことが可能である。
【図面の簡単な説明】
【００２１】
【図１】水素吸入装置の構成を示す斜視図である。
【図２】制御部の構成を示すブロック図である。
【図３】水素吸入装置の他の構成を示す斜視図である。
【発明を実施するための形態】
【００２２】
以下、実施の形態について図面を参照しつつ説明する。
【００２３】
（実施の形態１）
図１は水素吸入装置１の構成を示す斜視図である。図１Ａは水素吸入装置１の外観斜視図である。図１Ｂは水素吸入装置１の分解斜視図である。図１Ｃはカプセル１０の斜視図である。水素吸入装置１はカプセル１０、カートリッジ２０、電装部３０を含む。カプセル１０は吸口１１、格納部１２を含む。
【００２４】
吸口１１は円筒状をなす。吸口１１の一端の開口には排気フィルタ１１１が固定されている。排気フィルタ１１１は活性炭などを含む。排気フィルタ１１１は、脱臭及び湿分を取り除くことを主目的とする除湿脱臭フィルタ、微小異物や細菌の除去を主目的とする異物除去フィルタを含む。除湿脱臭フィルタは例えば、活性炭を用いて形成する。異物除去フィルタは、微小異物や細菌を吸着することにより、それらを水素から除去することを主目的とする。異物除去フィルタは、ガラスファイバ、ポリプロピレン、不織布などを用いて形成する。微小異物とは、水素以外の物質であり、例えば、水素発生時に生成される水酸化マグネシウム等である。
【００２５】
格納部１２は、筒状をなす。格納部１２は外径の異なる２つの円筒を接続した形状としてある。２つの円筒が接続される部分はテーパー形状としてある。格納部１２の一端部の外径は、吸口１１の外径と同じか、それよりも小さい。当該一端部は、吸口１１と接続されている。格納部１２の他端部の外径は、一端部の外径よりも小さい。格納部１２は、例えば耐熱性のある樹脂で形成する。用いる樹脂の耐熱温度の上限は少なくとも摂氏１２０度である。格納部１２は摂氏１００度から１２０度の蒸気が導入されるからである。格納部１２は水素化マグネシウム（ＭｇＨ２）４０が格納されている。格納部１２の一端部と対向する他端部には給気フィルタ１２１が固定されている。給気フィルタ１２１は円柱状をなす。給気フィルタ１２１の外径は、格納部１２の他端部の外径と同じか、それよりも大きい。給気フィルタ１２１の外周面は、例えば、弾性のある樹脂で生成する。給気フィルタ１２１は主として異物除去を目的とする。給気フィルタ１２１の内部には、上述の異物除去フィルタと同様な材料が格納されている。
【００２６】
水素化マグネシウム４０は水素化金属の一例である。他の水素化金属としては、水素化アルミニウム（ＡＬＨ３）、水素化カルシウム（ＣａＨ２）がある。ここで挙げた３つの水素化金属の中では、水素化マグネシウムが化学的に最も安定している。よって、水素化金属として、水素化マグネシウムを採用することが望ましい。
【００２７】
カートリッジ２０は円筒状をなす。カートリッジ２０は導入部２１、蒸気生成部２２、外気導入口２３、被接続部２４、センサ部（図示しない）を含む。導入部２１の一端部は開口部２１ａである。蒸気生成部２２は液体保持部２２１、ヒータ部２２２を含む。導入部２１の他端部と、蒸気生成部２２の他端部とは、カートリッジ２０の内部で連通している。
【００２８】
導入部２１は格納部１２がはめ込まれる部分である。導入部２１の内径は、格納部１２の外径と同じか、それより小さくしてある。そのことにより、格納部１２の外周面と導入部２１の内周面との摩擦により、カプセル１０はカートリッジ２０に保持される。格納部１２は導入部２１よりも短くしてある。つまり、カートリッジ２０にカプセル１０が取り付けられた場合、蒸気生成部２２と格納部１２との間に隙間が空くようになっている。
【００２９】
液体保持部２２１は液体を保持している。液体は、例えば水又はクエン酸水溶液である。液体保持部２２１は、例えば、多孔質部材に液体を含浸させたものである。液体保持部２２１は、使い捨ておむつ、生理用ナプキン等に用いられる吸水性ポリマーに液体を含ませたものを配置しても良い。また、液体保持部２２１はグリセリンと液体とを混ぜたものを貯蔵したものでも良い。液体保持部２２１の外周面にはヒータ部２２２が配置されている。ヒータ部２２２により、液体保持部２２１が加熱されるようにしてある。外気導入口２３は、液体保持部２２１と外部とを連通している。被接続部２４の一端部は開口部２４ａである。被接続部２４の内面は雌ねじが切ってある。被接続部２４は複数の電極を有している。
【００３０】
センサ部は、圧力センサ、温度センサ、傾斜センサ等を含む。各センサの機能については後述する。
【００３１】
電装部３０は、制御部３１、接続部３２、発光部３３、充電池（図示しない）を含む。電装部３０は径の異なる２つの円柱が同軸に接続されたような形状をなしている。径の小さい部分が接続部３２である。接続部３２は、電装部３０の他の部分よりも長さ（円柱の高さに相当する長さ）が短くしてある。接続部３２の外面は雄ねじが切られている。接続部３２は複数の電極を有している。
【００３２】
制御部３１は電装部３０の内部に格納されている。発光部３３は電装部３０の接続部３２と反対の端部に設けてある。発光部３３は円柱状をなしている。発光部３３は内部に発光素子を有している。発光素子は、例えば、ＬＥＤ（Ｌｉｇｈｔ  Ｅｍｉｔｔｉｎｇ  Ｄｉｏｄｅ）である。充電池は例えば、リチウムイオン電池である。被接続部２４の雌ねじと接続部３２の雄ねじとが螺合することにより、カートリッジ２０と電装部３０とが互いに固定される。その結果、被接続部２４の電極と接続部３２の電極とが電気的に接続される。
【００３３】
図２は制御部３１の構成を示すブロック図である。制御部３１はＣＰＵ（Ｃｅｎｔｒａｌ  Ｐｒｏｃｅｓｓｉｎｇ  Ｕｎｉｔ）３１１、ＲＯＭ（Ｒｅａｄ  Ｏｎｌｙ  Ｍｅｍｏｒｙ）３１２、ＲＡＭ（Ｒａｎｄｏｍ  Ａｃｃｅｓｓ  Ｍｅｍｏｒｙ）３１３、Ｉ／Ｏ３１４、計時部３１５を含む。各構成はバスＢで接続されている。
【００３４】
ＣＰＵ３１１はＲＯＭ３１２に記憶された制御プログラムに従いハードウェア各部を制御する。ＲＡＭ３１３は例えばＳＲＡＭ（Ｓｔａｔｉｃ  ＲＡＭ）、ＤＲＡＭ（Ｄｙｎａｍｉｃ  ＲＡＭ）、フラッシュメモリである。ＲＡＭ３１３はＣＰＵ３１１による制御プログラムの実行時に発生するデータを一時的に記憶する。
【００３５】
Ｉ／Ｏ３１４は、センサ部、発光部３３、ヒータ部２２２それぞれと、電気的に接続されている。計時部３１５は、時刻又は水素吸入器が起動してからの経過時間等の時間を計時している。ＣＰＵ３１１からの求めに応じて、計時結果をＣＰＵ３１１に与える回路である。
【００３６】
次に、水素吸入装置１の動作について説明する。以下の説明において、水素吸入装置１には電源スイッチがなく、常時電源が電装部３０等に供給されているものとする。ユーザが吸口１１を吸引する。吸口１１が吸引されると、カプセル１０の給気フィルタ１２１が取り付けられた開口部近傍の圧力が低下する。その結果、水素吸入装置１の内部の圧力が低下する。この圧力の低下はセンサ部を構成する圧力センサにより検出される。ＣＰＵ３１１はＩ／Ｏ３１４を介して、検出結果を受け取る。ＣＰＵ３１１はＩ／Ｏ３１４を介して、ヒータ部２２２をオンにする。ユーザの吸引が終わると、水素吸入装置１の内部の気圧が、大気圧に戻る。この圧力の復元も圧力センサにより検出される。ＣＰＵ３１１はＩ／Ｏ３１４を介して、検出結果を受け取る。ＣＰＵ３１１はＩ／Ｏ３１４を介して、ヒータ部２２２をオフにする。つまり、ＣＰＵ３１１はユーザが吸口１１を吸引している間だけ、ヒータ部２２２をオンにする。ヒータ部２２２は液体保持部２２１を加熱する。液体保持部２２１が加熱されており、吸口１１をユーザが吸引した場合、加熱された空気が液体保持部２２１から導入部２１に導入される。このとき、空気は液体保持部２２１から水分を吸収し、蒸気が生成される。生成された蒸気は、格納部１２に導入される。蒸気と格納部１２に格納された水素化マグネシウム４０とが化学反応を起こす。この化学反応により水素が発生する。発生した水素は吸口１１を吸引しているユーザの口から体内に取り込まれる。ユーザが吸口１１を吸引している間だけ、蒸気が生成され、それが格納部１２に導入されるので、吸口１１が吸引されている間だけ水素が発生する。なお、吸口１１が吸引されているか否かは、圧力センサではなく気体用流量センサで検出してもよい。
【００３７】
水素化マグネシウムは、マグネシウムの金属原子間に水素が化学結合してなる化合物である。水素化マグネシウムは、下記（１）式で示す加水分解反応に従って水と反応して水素を放出しながら分解する性質を持つ。（１）式で示す加水分解反応により、水素化マグネシウムの１５．２［ｗｔ％］の水素が発生する。
ＭｇＨ2＋２Ｈ2Ｏ→Ｍｇ（ＯＨ）2＋２Ｈ2…（１）
【００３８】
上述の動作では、ヒータ部２２２は、吸口１１が吸引されている間だけオンになるとしたが、それに限らない。例えば、水素吸入装置１内に温度センサを設ける。温度センサの検出結果を元に、ＣＰＵ３１１は内部が所定の温度に保もたれるように、ヒータ部２２２のオンオフを制御する。以下、水素吸入装置１の内部を所定の温度に保つことを余熱するという。所定の温度（余熱温度）は、蒸気が発生する温度よりも、やや低い温度とする。そして、吸口１１が吸引されているときは、ヒータ部２２２により、更に加熱され温度が上昇するから蒸気が生成され、水素が発生する。また、吸口１１が吸引されていないときは蒸気が生成されず、水素が発生しない。余熱を行う場合、ＣＰＵ３１１はヒータ部２２２に流れる電流を制御できることが望ましい。余熱のためにヒータ部２２２がオンとされている場合に、吸口１１が吸引された時は、ヒータ部２２２に流れる電流を増加させることにより、ヒータ部２２２の加熱能力を上昇させる。それにより、内部が余熱温度に達してない場合でも、吸口１１が吸引されたら、蒸気を生成させることが可能となる。
【００３９】
余熱により無駄な電力を消費しないために、水素吸入装置１が垂直姿勢に近くなったら、余熱を中断しても良い。また、水素吸入装置１が水平姿勢に近くなったら余熱を開始する。ここで、垂直姿勢とは、水素吸入装置１の長手方向が垂直方向となる場合をいう。水平姿勢とは、水素吸入装置１の長手方向が水平方向になる場合をいう。水素吸入装置１の姿勢の検出には、例えば、２軸の傾斜センサを用いる。
【００４０】
水素吸入装置１には電源スイッチがなく、常時電源が電装部３０等に供給されているとしたが、それに限らない。水素吸入装置１に電源スイッチを設けても良い。この場合、電源スイッチがオンとなったら、直ちに余熱の動作を開始すればよい。
【００４１】
本実施の形態は以下の効果を奏する。吸口１１が吸引されている間のみ、ヒータ部２２２をオンにするので、その間のみ蒸気が生成される。その結果、吸口１１が吸引されている間のみ、水素を発生させることが可能となる。すなわち、蒸気と水素との化学反応を間欠的に行える。格納部１２に格納されている水素化マグネシウム４０の一部のみを反応させた状態で、反応を止めることが可能である。それによって、カプセル１０を一度、カートリッジ２０にセットしたら、水素化マグネシウム４０がすべて反応するまでは、カプセル１０を交換することなく、水素吸入が可能となる。なお、液体保持部２２１の液体がなくなった場合は、カートリッジ２０を交換する。
【００４２】
なお、上述したカートリッジ２０の構成などは、あくまでも一例である。液体保持部２２１において、水又はクエン酸溶液を安定して保持でき、加熱した場合には、蒸気を発生可能な材料であれば、多孔質部材以外の部材に、水又はクエン酸溶液を保持させても良い。液体保持部２２１とヒータ部２２２との位置関係等も一例である。吸口１１が吸引されたことを契機に蒸気の発生が始まり、吸引が停止されたら蒸気の発生が止まる動作が可能であるならば、液体保持部２２１とヒータ部２２２との位置関係を変えても良い。
また、液体保持部２２１に水を保持させた場合は、カプセル１０の格納部１２に水素化マグネシウムの粉末とクエン酸粉末とを混合したものを格納してもよい。
【００４３】
クエン酸は、水素化マグネシウムが加水分解する際に、触媒として働く。クエン酸を加える事により、（１）式の化学反応の速度を速くすることが可能となる。水素化マグネシウムとクエン酸とは、下記（２）式で化学反応を起こして、水素が発生する。
３ＭｇＨ2＋２Ｃ6Ｈ8Ｏ7→Ｍｇ3（Ｃ6Ｈ5Ｏ7）2＋６Ｈ2…（２）
【００４４】
水素化マグネシウムの加水分解では、摂氏７０度から摂氏１００度の範囲が効率よく反応が進む。したがって、反応時の温度がこの温度範囲となるように、発生する蒸気の温度を調整することが望ましい。また、摂氏９０度以下の環境では、水素化マグネシウムの粒径が小さいほうが、反応が進みやすいことが知られている。例えば、粒径は５μｍとする。
【００４５】
蒸気生成部２２に代えて、エアロゾルを生成するエアロゾル生成部を用いても良い。エアロゾルとは、気体の中に固体または液体の微粒子が分散し浮遊しているものである。エアロゾル生成部は、エアロゾル発生物質を保持する保持体とヒータとを含む。保持体は、エアロゾル発生物質を保持可能な多孔質部材活性炭や紙などである。エアロゾル発生物質は、多価アルコールやカルボン酸脂肪族エステルである。多価アルコールは、例えば、グリセリン、プロピレングリコール、トリエチレングリコール、テトラエチレングリコールである。カルボン酸脂肪族エステルは、例えば、ステアリン酸メチル、ドデカン二酸ジメチル、テトラデカン二酸ジメチルである。エアロゾル生成部では、ヒータにより保持体が保持するエアロゾル発生物質を加熱すると、エアロゾルが生成される。生成したエアロゾルは、格納部１２に導入される。エアロゾルに含まれる水分又は水蒸気と格納部１２に格納された水素化マグネシウム４０とが化学反応を起こす。この化学反応により水素が発生する。格納部１２に導入されるエアロゾルが、化学反応を起こすのに十分な水分又は水蒸気を含まない場合は、エアロゾル発生物質と水とを混合して保持体に保持させても良い。
【００４６】
（実施の形態２）
本実施の形態は、カプセル１０の交換時期の通知を行う形態に関する。ＣＰＵ３１１は、ヒータ部２２２がオンした回数をカウントし、その値をＲＡＭ３１３に記憶する。この場合、ＲＡＭ３１３は回数記憶部として機能する。ＣＰＵ３１１はカウントの値と、予め定めた閾値とを比較し、カウントの値が、閾値以上となった場合に、カプセル１０を交換すべき旨の表示を行う。例えば、発光部３３を点滅させる。例えば、ＣＰＵ３１１は、吸口１１が吸引されたことを検出する度に、閾値とカウントの値とを比較する。なお、吸口１１が吸引されたら、ヒータ部２２２がオンするから、オンにした回数は、吸引された回数とみなして良い。
【００４７】
本実施の形態にあっては、吸口１１が吸引された回数（吸引回数）が閾値以上となったことを表示する。そのため、カプセル１０の入れ替える時期を、利用者は知ることが可能となる。なお、閾値の値は、実験を行ない定める。
【００４８】
（実施の形態３）
本実施の形態は、カプセル１０の交換時期の通知を行う形態に関する。ＣＰＵ３１１は計時部３１５を用いて、ヒータ部２２２がオンになった累積時間を求め、ＲＡＭ３１３などに記憶する。この場合は、ＲＭＡ３１３は時間記憶部として機能する。ＣＰＵ３１１は累積時間と、予め定めた閾値とを比較し、累積時間が、閾値以上となった場合に、カプセル１０を交換すべき旨の表示を行う。例えば、発光部３３を点滅させる。例えば、ＣＰＵ３１１は、吸口１１が吸引されたことを検出する度に、閾値と累積時間とを比較する。なお、吸口１１が吸引されている間、ヒータ部２２２をオンする。厳密に言えば、吸口１１の吸引が開始してから、ヒータ部２２２がオンになるまでには、タイムラグがあるが、全体が見れば微々たる時間である。よって、ヒータ部２２２をオンにした時間が吸引された時間として良い。
【００４９】
本実施の形態にあっては、吸口１１が吸引された累積時間が閾値以上となったことを表示する。そのため、カプセル１０の入れ替える時期を、利用者は知ることが可能となる。なお、閾値の値は、実験を行ない定める。
【００５０】
実施の形態２又は３において、カプセル１０の入替時期の通知方法と同様な方法で、カートリッジ２０の交換時期を表示するようにしてもよい。この場合、カプセル１０、カートリッジ２０のいずれの交換時期なのかを区別するため、発光部３３の発光色を変えたり、点滅の周期を変えたりすれば良い。
【００５１】
（実施の形態４）
本実施の形態は、蒸気生成部２２を水素吸入装置１に備えない構成に関する。図３は水素吸入装置１の他の構成を示す斜視図である。水素吸入装置１は、カプセル１０、継手部５０、アダプタ６０を含む。本実施の形態では、スチーム式の吸入器２００を蒸気の発生源として用いる。カプセル１０の構成は、上述した実施の形態１と同様であるから説明を省略する。
【００５２】
継手部５０は円柱状をなしている。継手部５０は第１嵌合部５１、受入部５２、導入部５３、第２嵌合部５４、弁体５５、表示部５６を含む。第１嵌合部５１の一端は開口５１ａである。第１嵌合部５１の他端は、受入部５２の一端と連通している。第１嵌合部５１は、アダプタ６０が嵌合する。受入部５２はアダプタ６０を介して、蒸気を受け入れる。受入部５２の他端と、導入部５３の一端とは、弁体５５を介して連通している。導入部５３の他端は、第２嵌合部５４の一端と連通している。第２嵌合部５４の他端は、開口部５４ａである。第２嵌合部５４には、カプセル１０が嵌合する。弁体５５は、圧力差により開閉する弁である。導入部５３の圧力が受入部５２の圧力より小さい時は、弁体５５は開状態となる。受入部５２の圧力が導入部５３の圧力より小さい時は、弁体５５は開状態となる。表示部５６は図示しない制御部により制御される。なお、弁体５１は導入部５３と第２嵌合部５４との間に設けても良い。
【００５３】
アダプタ６０は、第１被嵌合部６１、給気管６２、装着部６３を含む。第１被嵌合部６１は、基部６１１と先端部６１２とを含む。基部６１１の径は先端部６１２の径より大きくしてある。先端部６１２は、継手部５０の第１嵌合部５１に嵌合される。先端部６１２の外面は雄ねじが切ってある。第１嵌合部６１の内面は雌ねじが切ってある。先端部６１２の雌ねじと第１嵌合部６１の雄ねじとが螺合し、第１被嵌合部６１と第１嵌合部５１とが固定される。給気管６２は耐熱性のある樹脂で形成されている中空管である。給気管６２の一端は第１被嵌合部６１と接続してある。給気管６２の他端は、装着部６３と接続してある。装着部６３はお椀状をなしている。装着部６３は例えばゴムなどの弾性材料で形成してある。装着部６３は、吸入器２００の蒸気吹き出し部２０１に装着する。なお、第１被嵌合部６１と第１嵌合部５１との固定は、カプセル１と継手部５０のように、摩擦力で固定するようにしても良い。
【００５４】
次に、水素吸入装置１の動作について説明する。吸入器２００から供給された蒸気は、給気管６２、第１被嵌合部６１、第１嵌合部５１を経て、受入部５２で受け入れられる。弁体５５は定常状態では閉状態である。受け入れられた蒸気は、受入部５２に滞留する。
【００５５】
利用者が吸口１１を吸引すると、導入部５３の圧力が低下する。導入部５３の圧力が受入部５２の圧力よりも下がるので、弁体５５が開状態となる。受け入れられた蒸気はさらに、導入部５３を通過し、第２嵌合部５４を経て、格納部１２に導入される。
【００５６】
格納部１２に導入された蒸気は、格納されている水素化マグネシウムと化学反応し、水素が発生する。発生した水素は、吸口１１から排気される。排気された水素は利用者の口を通じて体内に取り込まれる。利用者が吸口１１の吸引をやめると、導入部５３の圧力が元に戻る。それにより、弁体５５が閉状態に戻る。蒸気が格納部１２に導入されないので、水素は発生しない。なお、弁体５５を電磁弁とし、吸口１１が吸引されているか否かをセンサで検出し、検出結果により、弁体５５の開閉を行うようにしても良い。
【００５７】
本実施の形態は、吸口１１が吸引されている間のみ、弁体５５が開状態となるので、その間のみ蒸気が格納部１２に導入される。その結果、吸口１１が吸引されている間のみ、水素を発生させることが可能となる。すなわち、蒸気と水素との化学反応を間欠的に行える。格納部１２に格納されている水素化マグネシウム４０の一部のみを反応させた状態で、反応を止めることが可能である。それによって、カプセル１０を一度、カートリッジ２０にセットしたら、水素化マグネシウム４０がすべて反応するまでは、カプセル１０の交換することなく、水素吸入が可能となる。
【００５８】
なお、蒸気を供給する機器は、スチーム式の吸入器２００に限られない。スチーム式加湿器、スチーム美顔器など、蒸気を発生させる機器が採用可能である。
【００５９】
さらにまた、超音波式の加湿器など、蒸気ではなく、噴霧を出力するもの採用可能である。この場合、蒸気よりも温度が低い。温度が低いと水素化マグネシウムとの反応が悪くなる。それを改善するために、継手部５０にヒータを設け、噴霧を加熱した上で、格納部１２に導入すれば良い。さらには、余熱を行ない、噴霧が蒸気に変わるまで加熱してもよい。
【００６０】
実施の形態４においても、実施の形態２、３と同様に、吸引された回数、吸引された累積時間を記憶し、それらを閾値と比較することにより、カプセル１０の交換時期を表示可能である。吸引されているか否かは、圧力センサで検出する。または、弁体５５に開閉を検出するセンサを取り付け、弁体５５の開閉回数や開状態となった累積時間を検出すれば良い。
【００６１】
各実施の形態で記載されている技術的特徴（構成要件）はお互いに組み合わせ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００６２】
１      水素吸入装置
１０    カプセル
１１    吸口
１２    格納部
２０    カートリッジ
２１    導入部
２２    蒸気生成部
２２１  液体保持部
２２２  ヒータ部
３３    発光部
４０    水素化マグネシウム
５０    継手部
５２    受入部
５３    導入部
５６    表示部
２００  吸入器
【図１】
2018033729.tif 000003
【図２】
2018033729.tif 000004
【図３】
2018033729.tif 000005